(57)【要約】      （修正有）【課題】買物、旅行などの外出時、あるいは災害時等の避難時に当該バッグを携帯すれば、外出中に発生する災害、あるいは避難時における各種の情報を即座に得ることができるラジオも、同時に携帯することができるラジオ付バッグを提供する。【解決手段】ラジオと、これに電源を供給する独立電源システムＳを具備したバッグＢであって、独立電源システムＳは、太陽電池モジュール１と、チャージコントローラ２と、ＤＣ／ＤＣコンバーター３とバッテリーとで構成されている。【選択図】図１
0003171084.tif 000002
【実用新案登録請求の範囲】
【請求項１】
ラジオと、これに電源を供給する独立電源システムとを備えたバッグであって、前記独立電源システムは、太陽電池モジュールと、チャージコントローラーと、バッテリーと、ＤＣ／ＤＣコンバーターとより構成したことを特徴とするラジオ付バッグ。
【請求項２】
前記独立電源システムは、機能保全用の容器に収納されてバッグに装着され、ラジオは容器から出し入れ可能になっていることを特徴とする請求項１記載のラジオ付バッグ。
【考案の詳細な説明】
【技術分野】
【０００１】
本考案は、災害発生時にその情報を得るためのラジオと、これに電源を供給する太陽光発電システムとを備えたラジオ付バッグに関するものである。
【背景技術】
【０００２】
災害発生時のような緊急時に、外出先で使用するラジオとしては、例えば充電式ラジオがある。
このラジオは、充電ハンドルを手で廻して充電するか、あらかじめ装填した乾電池を使用するかして、ラジオに電源を供給する構成になっている。      
【０００３】
この種のラジオは、常時携帯して緊急時に使用する場合には、有用である。しかし、次のような問題点がある。    
（１）買物や旅行、あるいは災害時避難などの外出時には、バッグは携帯しても、肝心のラジオの携帯を忘れてしまうことがある。このため、災害発生時に外出先で必要な災害情報等を得ることができないことがある。
（２）外出時に充電式ラジオを携帯することができても、充電ハンドルを廻すのに手間がかかる。乾電池を使用すればよいが電池切れのまま、その交換を忘れていることがある。乾電池の入手が困難な時もある。このため、災害発生時に、その情報を即座に得ることができないことがある。
【先行技術文献】
【特許文献】
【０００４】
【特許文献１】特開平１１−２９９５２８
【考案の概要】
【考案が解決しようとする課題】
【０００５】
本考案は、上述のような問題点を解決するためになされたもので、買物、旅行、避難などの外出時にバッグを携帯すれば、外出中に発生する災害の情報を即座に得ることができるラジオも、同時に携帯することができるラジオ付バッグを提供することを課題とする。
【課題を解決するための手段】
【０００６】
上記課題を解決するために、この考案が提供するラジオ付バッグは、バッグにラジオとこれに電源を供給する独立電源システムを装着したものである。
独立電源システムは、太陽電池モジュールと、チャージ（充放電）コントローラと、バッテリー（蓄電池）と、ＤＣ／ＤＣコンバーター（電圧変換器）とより構成されている。  
【０００７】
上記ラジオと独立電源システムは、それぞれ機能保全用の袋又は容器に収納して取付具でバッグに装着できる構成とすることができる。ラジオは、容器から出し入れできる。  
【０００８】
本考案にいうバッグは、いわゆるバッグのほか、カート、サックを含む。バッグとしては、例えば、かばん、手提げ、ハンドバッグ、ショルダーバッグがあり、カートとしては、例えば、フラットカート（キャスター付きカート）、手押し車がある。また、サックとしては、例えば、袋、背負い袋（リュックサック）がある。ラジオは、手廻し充電ハンドル付きを含む。      
【考案の効果】
【０００９】
（１）本考案のラジオ付バッグにおいては、バッグに、ラジオとこれに電源を供給する独立電源システムが装着されている。
このため、買物、旅行、避難時など外出時にバッグを携帯する限り、災害発生時に使用できるラジオの携帯を忘れることはない。外出時にラジオの携帯を忘れて災害発生時にその情報が得られないといった恐れはなくなる。
【００１０】
（２）本考案のラジオ付バッグにおいては、電源は、昼間は、太陽電池モジュールから供給され、夜間は、バッテリーから供給される。
このため、災害発生時には、昼夜の別なく、手間をかけず、即座に災害情報を得ることができる。      
【図面の簡単な説明】
【００１１】
【図１】実施例１のラジオ付バッグの基本構成を示す斜視図である。
【図２】実施例１における独立電源システムとラジオの平面上の配置関係を模式的に示した平面図である。
【図３】実施例１におけるラジオと独立電源システムの電気的接続状態を示し、同図（ａ）は側面図、同図（ｂ）は正面図である。
【図４】実施例２におけるラジオと独立電源システムの電気的接続状態を示し、同図（ａ）は側面図、同図（ｂ）は正面図である。
【考案を実施するための形態】
【００１２】
以下に、本考案の実施の形態を実施例によって図面を参照しながら説明する。
【実施例１】
【００１３】
図１は、背負いバッグＢに、ＤＣ３Ｖのラジオ（充電ハンドル式）Ｒと、これに電源を供給する独立電源システムＳとを装着した状態を示す。
独立電源システムＳは、図２に示すように、太陽電池モジュール１と、チャージ（充放電）コントローラ２と、ＤＣ／ＤＣコンバーター（電圧変換器）３と、バッテリー（蓄電池）４の４っの部品で構成されている。各部品１〜４とラジオＲは、電気的に接続されている。
【００１４】
太陽電池モジュール１は、容器Ｘに入れてバッグＢの蓋の上面に装着されている。３っの部品２、３、４は容器Ｙに入れてバッグの前面に装着されている。ラジオＲは容器Ｚに入れて同じくバッグ前面に装着されている。ラジオＲは容器Ｚからの出し入れができる。上記装着は、接着布でなされている。各容器Ｘ、Ｙ、Ｚは、収納した部品の機能保全のためのものであり、防水性もある。なお、バッグＢの蓋は、図示しないが、ファスナーで開閉できる。
【００１５】
図３は、実施例１におけるラジオＲと独立電源システムＳがコード５によって電気的に接続されている状態を示している。
同図に示すように、独立電源システムＳとラジオＲは、コンバーター３から引き出されたコード５のプラグをラジオＲのジャック６に差し込むことによって、電気的に接続されている。
独立電源システムＳからの電源供給は、上記コード５を介してなされる。コード５は、ラジオＲの使用を拘束しない長さに設定されている。
【００１６】
実施例１のラジオ付バッグは、上述のような構成となっているので、昼間であれば、太陽電池モジュール１で発電された電気（直流）は、チャージコントローラー２からＤＣ／ＤＣコンバーター３に送られ、ここでラジオＲの仕様（ＤＣ３Ｖ）に応じた電圧に変換され、そのラジオＲに供給される。
【００１７】
太陽電池モジュール１の発電量が使用量を上回った場合は、その上回った電気は、チャージコントローラー２からバッテリー４に供給され蓄えられる。
夜間など太陽電池モジュール１が発電しない時間帯には、バッテリー４からコンバーター３を経てラジオＲに電気が供給される。
【００１８】
このように、実施例１のラジオ付バッグにあっては、ラジオＲへの電気の供給が途絶えることがない。このため、バッグＢを持って買物や旅行に出かけるときに、、災害が発生しても、昼夜の別なく、即座にラジオＲから災害情報を得ることができる。
従来のように、ラジオへの電源供給のために、充電ハンドルを廻したり、乾電池を交換したりする煩わしさはなくなる。
【００１９】
また、実施例１のラジオ付バッグは、バッグＢにラジオＲと独立電源システムＳを装備品として一体に装着する構成となっている。      
このため、バッグＢを持って買物や旅行に出かけるとき、あるいは避難するときは、常に、ラジオＲを携帯することになる。
したがって、外出時に災害に遭遇することがあっても、その場で、即座に災害情報を得ることができる。従来のように、ラジオの携帯を忘れて、災害時に、外出先で困ることはなくなる。
【実施例２】
【００２０】
実施例２のラジオ付バッグＢは、図２に示す基本構成において、実施例１と基本的に同じである。しかし、ラジオＲと独立電源システムＳの電気的接続構造が異なっている。
すなわち、実施例２では、図４に示すように、独立電源システムＳからラジオＲへの電源供給は、ポット状の受け具７に差し込んだラジオＲの端子８と、受け具７の底面の端子９の接触によってなされている。
【００２１】
上記端子８は、ラジオＲの下端面に設けられている。端子９は、受け具７の底面に設けたもので、独立電源システムＳのコンバーター３から引き出されたコード１０に接続されている。受け具７は、バッグＢに取り付けられている。
その他の構成は、実施例１と同じである。作用効果も実質的に同じである。
【符号の説明】
【００２２】
１……  太陽電池モジュール
２……  チャージコントローラー
３……  ＤＣ／ＤＣコンバーター      
４……  バッテリー          
５、１０……  コード  
６……  ジャック
７……  受け具
８、９……  端子
Ｂ……  背負いバッグ                
Ｓ……  独立電源システム
Ｒ……  ラジオ                      
Ｘ、Ｙ、Ｚ……    容器
【図１】
0003171084.tif 000003
【図２】
0003171084.tif 000004
【図３】
0003171084.tif 000005
【図４】
0003171084.tif 000006